(57)【要約】【課題】画像を公開する相手に応じて、画像に対する付加情報の公開内容を変更する。【解決手段】撮影画像７１Ａに対する付加情報を、複数のレイヤー（第２レイヤー７１Ｂ、第５レイヤー７１Ｃ）に分類して記録しておく。第２レイヤー７１Ｂには、大工担当に対するコメント及び指示が含まれ、第５レイヤー７１Ｃには、現場監督に対する指示が含まれている。撮影画像７１Ａを表示する際に、ユーザに対応するユーザ情報（現在の業務、過去の業務、資格等）を取得し、取得されたユーザ情報からアクセス権限を決定する。そして、決定されたアクセス権限に対応するレイヤーを特定し、特定されたレイヤーを読み出し、読み出されたレイヤーを撮影画像７１Ａに重ねて表示用画像７１Ｄを生成する。【選択図】図１２
2016012212.tif 000002
【特許請求の範囲】
【請求項１】
画像と、当該画像に対する付加情報を含む複数のレイヤーと、を対応付けて記憶する第１記憶手段と、
前記複数のレイヤーのそれぞれに対してアクセス権限を対応付けて記憶する第２記憶手段と、
ユーザに対応するユーザ情報を取得する取得手段と、
当該取得されたユーザ情報からアクセス権限を決定する決定手段と、
前記第２記憶手段を参照して、前記決定手段により決定されたアクセス権限に対応するレイヤーを特定する特定手段と、
当該特定されたレイヤーを前記第１記憶手段から読み出す読み出し手段と、
当該読み出されたレイヤーを前記画像に重ねて表示用画像を生成する生成手段と、
当該生成された表示用画像を出力する出力手段と、
を備える画像管理装置。
【請求項２】
前記ユーザ情報には、ユーザの現在の業務を示す情報、過去の業務を示す情報、資格を示す情報のうち、少なくとも一つが含まれる請求項１に記載の画像管理装置。
【請求項３】
前記生成手段が前記特定手段により特定された全てのレイヤーを前記画像に重ねて表示用画像を生成する第１モードと、前記生成手段が前記特定手段により特定されたレイヤーのうち指定されたレイヤーのみを前記画像に重ねて表示用画像を生成する第２モードと、を切り替える切り替え手段を備える請求項１又は２に記載の画像管理装置。
【請求項４】
画像管理装置と、端末装置と、がデータ通信可能に接続された画像表示システムであって、
前記端末装置は、
表示手段に表示された画像に対する付加情報を入力するための入力手段と、
前記付加情報の分類区分を指定するための指定手段と、
前記指定手段により指定された分類区分毎に、前記入力手段から入力された付加情報を含むレイヤーを生成する第１生成手段と、
前記画像と、前記第１生成手段により分類区分毎に生成された複数のレイヤーと、を対応付けて前記画像管理装置に送信する送信手段と、
を備え、
前記画像管理装置は、
前記画像と、前記複数のレイヤーと、を対応付けて記憶する第１記憶手段と、
前記複数のレイヤーのそれぞれに対してアクセス権限を対応付けて記憶する第２記憶手段と、
ユーザに対応するユーザ情報を取得する取得手段と、
当該取得されたユーザ情報からアクセス権限を決定する決定手段と、
前記第２記憶手段を参照して、前記決定手段により決定されたアクセス権限に対応するレイヤーを特定する特定手段と、
当該特定されたレイヤーを前記第１記憶手段から読み出す読み出し手段と、
当該読み出されたレイヤーを前記画像に重ねて表示用画像を生成する第２生成手段と、
当該生成された表示用画像を前記端末装置に出力する出力手段と、
を備える画像表示システム。
【請求項５】
前記端末装置は、
前記指定手段により指定されている分類区分に対応するレイヤーのみを前記画像に重ねて前記表示手段に表示させる第１モードと、前記指定手段により指定されている分類区分に対応するレイヤー及び前記指定手段により指定された分類区分に対応するレイヤーを前
記画像に重ねて前記表示手段に表示させる第２モードと、を切り替える切り替え手段を備える請求項４に記載の画像表示システム。
【請求項６】
画像と、当該画像に対する付加情報を含む複数のレイヤーと、を対応付けて記憶する第１記憶手段と、前記複数のレイヤーのそれぞれに対してアクセス権限を対応付けて記憶する第２記憶手段と、を備える画像管理装置のコンピュータを、
ユーザに対応するユーザ情報を取得する取得手段、
当該取得されたユーザ情報からアクセス権限を決定する決定手段、
前記第２記憶手段を参照して、前記決定手段により決定されたアクセス権限に対応するレイヤーを特定する特定手段、
当該特定されたレイヤーを前記第１記憶手段から読み出す読み出し手段、
当該読み出されたレイヤーを前記画像に重ねて表示用画像を生成する生成手段、
当該生成された表示用画像を出力する出力手段、
として機能させるためのプログラム。
【発明の詳細な説明】
【技術分野】
【０００１】
本発明は、画像管理装置、画像表示システム及びプログラムに関する。
【背景技術】
【０００２】
従来、工事業においては、施工状況を記録するために、工事現場で写真が撮影されている。近年では、工事写真をサーバに保存し、インターネットを介して施主や施工業者に工事の進捗状況を公開するシステムが利用されている。
【０００３】
複数の場所で情報を共有する技術として、例えば、複数の会議拠点をネットワークを介して接続して遠隔会議を行う際に、各会議拠点に設置されたタッチパネル式ディスプレイに、参加者が資料上に電子的に書き込んだ文字や図形を表示するとともに、書き込み者の顔画像を表示する遠隔会議システムが開発されている（特許文献１参照）。
【先行技術文献】
【特許文献】
【０００４】
【特許文献１】特開２００６−３０４０６６号公報
【発明の概要】
【発明が解決しようとする課題】
【０００５】
しかしながら、上記従来技術では、書き込み者を特定することはできるものの、各会議拠点において公開される内容は共通であり、公開先に応じて表示内容を変えることはできなかった。
【０００６】
工事業では、現場で撮影された画像上に、施工不良箇所への対応指示等、施工業者に対するコメントや指示等の付加情報を追記する場合がある。工事業においては、担当業務が細分化されており、工事に関わる作業者の数も多いため、担当外の者に対するコメントや指示が表示されていると、画像を確認する際の妨げとなるばかりか、本来注意すべきコメントや指示を見逃すおそれがあった。また、コメントの内容によっては、伝えたい相手以外には見られたくない場合もある。
【０００７】
本発明は、上記の従来技術における問題に鑑みてなされたものであって、画像を公開する相手に応じて、画像に対する付加情報の公開内容を変更することを課題とする。
【課題を解決するための手段】
【０００８】
上記課題を解決するために、本発明の画像管理装置は、
画像と、当該画像に対する付加情報を含む複数のレイヤーと、を対応付けて記憶する第１記憶手段と、
前記複数のレイヤーのそれぞれに対してアクセス権限を対応付けて記憶する第２記憶手段と、
ユーザに対応するユーザ情報を取得する取得手段と、
当該取得されたユーザ情報からアクセス権限を決定する決定手段と、
前記第２記憶手段を参照して、前記決定手段により決定されたアクセス権限に対応するレイヤーを特定する特定手段と、
当該特定されたレイヤーを前記第１記憶手段から読み出す読み出し手段と、
当該読み出されたレイヤーを前記画像に重ねて表示用画像を生成する生成手段と、
当該生成された表示用画像を出力する出力手段と、
を備える。
【発明の効果】
【０００９】
本発明によれば、画像を公開する相手に応じて、画像に対する付加情報の公開内容を変更することができる。
【図面の簡単な説明】
【００１０】
【図１】画像表示システムのシステム構成図である。
【図２】画像管理装置の機能的構成を示すブロック図である。
【図３】レイヤー権限対応テーブルの構成例である。
【図４】端末装置の機能的構成を示すブロック図である。
【図５】レイヤー属性対応テーブルの構成例である。
【図６】端末装置において実行される付加情報記録処理を示すフローチャートである。
【図７】付加情報記録画面の例である。
【図８】分割記録モードが指定されている場合に表示される画像の例である。
【図９】一括記録モードが指定されている場合に表示される画像の例である。
【図１０】画像管理装置において実行される画像公開処理を示すフローチャートである。
【図１１】アクセス権限決定処理を示すフローチャートである。
【図１２】大工担当と現場監督の両方のアクセス権限を有する者が撮影画像を閲覧する場合の表示用画像の例である。
【発明を実施するための形態】
【００１１】
以下、図面を参照して、本発明に係る画像表示システムの実施の形態について説明する。なお、本発明は、図示例に限定されるものではない。
【００１２】
図１に、本実施の形態に係る画像表示システム１００のシステム構成を示す。画像表示システム１００は、画像管理装置１０と、複数の端末装置２０と、から構成されている。画像管理装置１０と、複数の端末装置２０とは、インターネット等の通信ネットワークＮを介してデータ通信可能に接続されている。画像表示システム１００は、工事業における工事写真の撮影画像を画像管理装置１０にて管理し、工事現場、オフィス、委託先、施主宅等において、各端末装置２０に撮影画像を公開するものである。画像表示システム１００は、工事を計画し施工する建設会社、建築会社等（以下、工事会社という。）を中心に使用される。
【００１３】
図２は、画像管理装置１０の機能的構成を示すブロック図である。
画像管理装置１０は、取得手段、決定手段、特定手段、読み出し手段、生成手段、出力手段、切り替え手段、第２生成手段としてのＣＰＵ（Central Processing Unit）１１と、ＲＡＭ（Random Access Memory）１２と、入力部１３と、表示部１４と、通信部１５と、第２記憶手段としての記憶部１６と、第１記憶手段としての画像記憶装置１７と、を備え、各部はバス１８を介して接続されている。
【００１４】
ＣＰＵ１１は、画像管理装置１０の各部の処理動作を統括的に制御する。具体的には、ＣＰＵ１１は、記憶部１６に記憶されている各種プログラムを読み出してＲＡＭ１２に展開し、当該プログラムとの協働により各種処理を行う。
【００１５】
ＲＡＭ１２は、揮発性のメモリである。ＲＡＭ１２には、実行される各種プログラムやこれら各種プログラムに係るデータ等が一時的に格納される。
【００１６】
入力部１３は、文字入力キー、数字入力キー、各種機能キー等を備えたキーボードと、
マウス等のポインティングデバイスと、を備え、ユーザによるキーボードに対するキー操作やマウス操作により入力された操作信号をＣＰＵ１１に出力する。
【００１７】
表示部１４は、ＬＣＤ（Liquid Crystal Display）等で構成され、ＣＰＵ１１からの表示制御信号に従って画面表示を行う。
【００１８】
通信部１５は、ネットワークインターフェース等により構成され、通信ネットワークＮを介して接続された外部機器との間でデータの送受信を行う。
【００１９】
記憶部１６は、ＨＤＤ（Hard Disk Drive）や不揮発性メモリ等により構成され、情報を読み出し及び書き込み可能に記憶する。記憶部１６には、画像公開処理プログラムＰ１、ユーザテーブルＴ１、現職情報テーブルＴ２、経歴情報テーブルＴ３、前職情報テーブルＴ４、資格情報テーブルＴ５、委託先情報テーブルＴ６、レイヤー権限対応テーブルＴ７が記憶されている。
【００２０】
ユーザテーブルＴ１には、画像表示システム１００のユーザのユーザＩＤ、パスワード、社内外情報が対応付けられている。ユーザテーブルＴ１には、ユーザとして、工事会社の社員、委託先業者、施主等が登録されている。
ユーザＩＤは、各ユーザの識別情報である。
パスワードは、ユーザが画像表示システム１００を利用する際に用いるパスワードである。
社内外情報は、ユーザが工事会社の社内の者であるか、社外の者であるかを示す情報である。
【００２１】
社内外情報が社外の者であることを示す情報である場合、ユーザテーブルＴ１には、さらに、社外区分情報がユーザＩＤと対応付けられている。社外区分情報は、社外の者に対する区分を示す情報である。本実施の形態では、社外区分情報として、業務の委託先の者であるか、工事を依頼した施主であるかを示す情報を用いる。
【００２２】
現職情報テーブルＴ２、経歴情報テーブルＴ３、前職情報テーブルＴ４、資格情報テーブルＴ５は、工事会社の社内のユーザに関連する情報が格納されたテーブルである。
【００２３】
現職情報テーブルＴ２は、ユーザ毎に、ユーザの社内における現在の担当業務が対応付けられている。現在の担当業務として、例えば、大工工事、外装工事、配管工事、現場監督、土木工事、建築工事、とび・コンクリート工事、石工事、屋根工事、タイル・レンガ・ブロック工事、鉄筋工事、防水工事、塗装工事、ガラス工事、内装仕上工事、電気通信工事、水道施設工事等が挙げられる。
【００２４】
経歴情報テーブルＴ３は、ユーザ毎に、ユーザの社内における過去の担当業務と、当該業務の経験年数と、が対応付けられている。過去の担当業務の内容としては、現在の担当業務で挙げた内容と同様である。過去の担当業務には、経験に応じて複数の業務が含まれる場合もある。
【００２５】
前職情報テーブルＴ４は、ユーザ毎に、ユーザの入社前の業務歴（業務内容、経験年数）が対応付けられている。入社前の業務歴の業務内容としては、現在の担当業務で挙げた内容と同様である。入社前の業務歴には、経験に応じて複数の業務が含まれる場合もある。
【００２６】
資格情報テーブルＴ５は、ユーザ毎に、ユーザが有している資格が対応付けられている。工事に関する資格として、例えば、建築士、建築施行管理技士、建設機械施工技士、土
木施工管理技士、建設総合技術監理、電気工事施工管理技士、電気電子総合技術監理、電気工事士、電気主任技術者、管工事施工管理技士、建築設備士等が挙げられる。なお、資格は、国家資格だけでなく、公的資格、民間資格等であってもよい。
【００２７】
委託先情報テーブルＴ６は、工事会社の委託先に所属するユーザに関連する情報が格納されたテーブルである。
委託先情報テーブルＴ６は、ユーザ毎に、委託先におけるユーザの現在の委託業務が対応付けられている。現在の委託業務の内容としては、現職情報テーブルＴ２の現在の担当業務で挙げた内容と同様である。
【００２８】
図３に、レイヤー権限対応テーブルＴ７の構成例を示す。レイヤー権限対応テーブルＴ７は、複数のレイヤー（第１レイヤー、第２レイヤー、第３レイヤー、・・・）のそれぞれに対してアクセス権限が対応付けられている。
アクセス権限は、対応付けられたレイヤーの公開先を示す情報である。
【００２９】
画像記憶装置１７は、情報を読み出し及び書き込み可能に記憶する記憶装置である。画像記憶装置１７には、工事現場で撮影された複数の撮影画像（画像データ）が記憶される。また、画像記憶装置１７には、複数の撮影画像毎に、当該撮影画像に対して書き込まれた付加情報を含む複数のレイヤー（画像データ）が、当該撮影画像と対応付けられて記憶される。レイヤーは、撮影画像に対する付加情報が公開先毎に分類されて記録された仮想的な透明のシートであり、撮影画像に重ねられる。例えば、画像記憶装置１７では、工事毎に設けられたフォルダに、当該工事において撮影された撮影画像と、複数のレイヤーと、が対応付けられて格納される。
【００３０】
ＣＰＵ１１は、ユーザに対応するユーザ情報を取得する。
具体的に、ＣＰＵ１１は、記憶部１６のユーザテーブルＴ１から、ユーザに対応する社内外情報、社外区分情報を取得する。
ＣＰＵ１１は、記憶部１６の現職情報テーブルＴ２から、ユーザに対応する現在の担当業務を取得する。
ＣＰＵ１１は、記憶部１６の経歴情報テーブルＴ３から、ユーザに対応する過去の担当業務を取得する。
ＣＰＵ１１は、記憶部１６の前職情報テーブルＴ４から、ユーザに対応する入社前の業務歴を取得する。
ＣＰＵ１１は、記憶部１６の資格情報テーブルＴ５から、ユーザに対応する資格を取得する。
ＣＰＵ１１は、記憶部１６の委託先情報テーブルＴ６から、ユーザに対応する現在の委託業務を取得する。
【００３１】
ＣＰＵ１１は、取得されたユーザ情報（社内外情報、社外区分情報、現在の担当業務、過去の担当業務、入社前の業務歴、資格、現在の委託業務等）からアクセス権限を決定する。
【００３２】
ＣＰＵ１１は、記憶部１６のレイヤー権限対応テーブルＴ７を参照して、決定されたアクセス権限に対応するレイヤーを特定する。
ＣＰＵ１１は、表示対象として指定された撮影画像に対応付けられているレイヤーのうち、特定されたレイヤーを画像記憶装置１７から読み出す。
ＣＰＵ１１は、読み出されたレイヤーを撮影画像に重ねて表示用画像を生成する。
【００３３】
ＣＰＵ１１は、通信部１５を介して、生成された表示用画像を端末装置２０に出力する。
【００３４】
ＣＰＵ１１は、端末装置２０からの指示に応じて、表示用画像を生成する際に、特定された全てのレイヤーを撮影画像に重ねて表示用画像を生成する第１モードとしての一括表示モードと、特定されたレイヤーのうち指定されたレイヤーのみを撮影画像に重ねて表示用画像を生成する第２モードとしての分割表示モードと、を切り替える。
【００３５】
図４は、端末装置２０の機能的構成を示すブロック図である。
端末装置２０は、第１生成手段、送信手段、切り替え手段としてのＣＰＵ２１と、ＲＡＭ２２と、入力手段、指定手段としての入力部２３と、表示部２４と、通信部２５と、撮像部２６と、記憶部２７と、を備え、各部はバス２８を介して接続されている。端末装置２０は、一般的なタブレット型情報端末やＰＣ（Personal Computer）により構成される。
【００３６】
ＣＰＵ２１は、端末装置２０の各部の処理動作を統括的に制御する。具体的には、ＣＰＵ２１は、記憶部２７に記憶されている各種プログラムを読み出してＲＡＭ２２に展開し、当該プログラムとの協働により各種処理を行う。
【００３７】
ＲＡＭ２２は、揮発性のメモリである。ＲＡＭ２２には、実行される各種プログラムやこれら各種プログラムに係るデータ等が一時的に格納される。
【００３８】
入力部２３は、表示部２４の表示画面に設けられたタッチパネルを含み、ユーザの指又は専用のペン等によるタッチ操作の位置を検出し、その位置に応じた操作信号をＣＰＵ２１に出力する。また、入力部２３は、文字入力キー、数字入力キー、各種機能キー等を備えたキーボードと、マウス等のポインティングデバイスと、を備え、ユーザによるキーボードに対するキー操作やマウス操作により入力された操作信号をＣＰＵ２１に出力することとしてもよい。
例えば、入力部２３は、表示部２４に表示された撮影画像に対する付加情報を入力する際に用いられる。また、入力部２３は、付加情報の分類区分（ペンの色）を指定する際に用いられる。
【００３９】
表示部２４は、ＬＣＤ等で構成され、ＣＰＵ２１からの表示制御信号に従って画面表示を行う。
【００４０】
通信部２５は、ネットワークインターフェース等により構成され、通信ネットワークＮを介して接続された外部機器との間でデータの送受信を行う。
【００４１】
撮像部２６は、光学レンズ、撮像素子、各種センサ等を備え、被写体の撮影を行うデジタルカメラである。撮像部２６は、工事現場を撮影し、撮影画像の画像データを生成する。
【００４２】
記憶部２７は、ＨＤＤや不揮発性メモリ等により構成され、情報を読み出し及び書き込み可能に記憶する。記憶部２７には、付加情報記録処理プログラムＰ２、レイヤー属性対応テーブルＴ８が記憶されている。
【００４３】
図５に、レイヤー属性対応テーブルＴ８の構成例を示す。レイヤー属性対応テーブルＴ８は、複数のレイヤーのそれぞれに対して、ペン属性と、アクセス権限と、が対応付けられている。
ペン属性とは、表示部２４に表示された撮影画像に対して付加情報を入力する際に、描画される線の属性である。ペン属性として、色と線幅を指定することができる。ペンの色は、入力される付加情報の公開先に対応している。線幅については、コメントを入力する
場合と、指示を入力する場合とで、異なる値（１ｐｔ、２ｐｔ）が割り当てられている。なお、「施主」に対する指示は想定されていない。
【００４４】
例えば、「第１レイヤー」には、「施主」に対するコメントが線幅「１ｐｔ」の「青色」の線で書き込まれる。
また、「第２レイヤー」には、「大工担当」に対するコメントが線幅「１ｐｔ」の「赤色」の線で書き込まれ、「大工担当」に対する指示が線幅「２ｐｔ」の「赤色」の線で書き込まれる。
【００４５】
ＣＰＵ２１は、入力部２３により指定された分類区分（ペンの色）毎に、入力部２３から入力された付加情報を含むレイヤーを生成する。
ＣＰＵ２１は、通信部２５を介して、撮影画像と、分類区分毎に生成された複数のレイヤーと、を対応付けて画像管理装置１０に送信する。
【００４６】
ＣＰＵ２１は、入力部２３からの指示に応じて、入力部２３により現在指定されている分類区分に対応するレイヤーのみを撮影画像に重ねて表示部２４に表示させる第１モードとしての分割記録モードと、入力部２３により現在指定されている分類区分に対応するレイヤー、及び、同一の撮影画像に対して入力部２３によりこれまでに指定された分類区分に対応するレイヤーを撮影画像に重ねて表示部２４に表示させる第２モードとしての一括記録モードと、を切り替える。
【００４７】
図６は、端末装置２０において実行される付加情報記録処理を示すフローチャートである。この処理は、工事現場にて写真を撮影して画像管理装置１０にアップロードする処理であって、ＣＰＵ２１と記憶部２７に記憶されている付加情報記録処理プログラムＰ２との協働によるソフトウェア処理によって実現される。
【００４８】
まず、ユーザは、入力部２３からの操作によって、端末装置２０に搭載されている撮像部２６により、現場写真を撮影する（ステップＳ１）。ＣＰＵ２１は、撮像部２６により生成された撮影画像の画像データをＲＡＭ２２に格納するとともに、撮影画像を表示部２４に表示させる（ステップＳ２）。
なお、外部の撮像装置を端末装置２０と接続して、撮影画像の画像データを取り込むこととしてもよい。
【００４９】
次に、ユーザは、入力部２３からの操作によって、ペン属性を指定する（ステップＳ３）。具体的には、ペン属性として、ペンの色と線幅が指定される。ペンの色は、付加情報の分類区分、すなわち、付加情報の公開先に対応するものである。また、線幅は、コメント・指示を区別するためのものである。
【００５０】
図７に、表示部２４に表示される付加情報記録画面２４１の例を示す。付加情報記録画面２４１には、画像表示領域３０、ペン属性指定領域４０が含まれる。
画像表示領域３０は、撮影画像が表示される領域である。撮影画像上に付加情報が追記された場合には、画像表示領域３０において、撮影画像と重ねられて付加情報も表示される。
【００５１】
ペン属性指定領域４０は、付加情報の公開先（施主、大工担当、外装担当、配管担当、現場監督、建築士等）に対応する色（図５参照）と、コメント・指示の区別と、を指定するための領域である。ペン属性指定領域４０において、「施主」の背景及び描画線は「青色」で、「大工担当」の背景及び描画線は「赤色」で、「外装担当」の背景及び描画線は「黄色」で、「配管担当」の背景及び描画線は「橙色」で、「現場監督」の背景及び描画線は「水色」で、「建築士」の背景及び描画線は「灰色」で表示されている。例えば、入
力部２３の専用のペンを用いて領域Ａ１が指定された場合には、「施主」に対するコメントの入力待ち状態となり、画像表示領域３０でのペン先の動きに応じて「青色」の「１ｐｔ」幅の線が描画される。同様に、領域Ａ２が指定された場合には、「大工担当」に対するコメントの入力待ち状態となる。領域Ａ３が指定された場合には、「大工担当」に対する指示の入力待ち状態となる。領域Ａ４が指定された場合には、「現場監督」に対する指示の入力待ち状態となる。
【００５２】
次に、ユーザが入力部２３からの操作によって、表示部２４に表示された撮影画像に対して付加情報を入力すると（ステップＳ４）、ＣＰＵ２１は、レイヤー属性対応テーブルＴ８を参照して、入力された付加情報を、ペンの色に対応するレイヤーに記録する（ステップＳ５）。すなわち、ＣＰＵ２１は、指定されたペンの色（分類区分）毎に、入力された付加情報を含むレイヤーを生成する。図７に示す付加情報記録画面２４１では、タッチパネル上のペンの操作によって、画像表示領域３０に表示されている撮影画像に、ペン先の動きに応じた描画線が重ねられて表示される。ここで、付加情報は、現在指定されている色・線幅の線で描画される。
【００５３】
次に、ＣＰＵ２１は、ユーザが入力部２３からの操作によって、ペン属性を変更したか否かを判断する（ステップＳ６）。
ペン属性を変更した場合には（ステップＳ６；ＹＥＳ）、ＣＰＵ２１は、その変更がペンの色の変更を伴うものであるか否かを判断する（ステップＳ７）。例えば、図７に示すペン属性指定領域４０において、領域Ａ２が指定された状態（赤色、１ｐｔ）から領域Ａ３が指定された状態（赤色、２ｐｔ）への変更は、ペンの色の変更を伴わないものである。一方、領域Ａ３が指定された状態（赤色、２ｐｔ）から領域Ａ４が指定された状態（水色、２ｐｔ）への変更は、ペンの色の変更を伴うものである。
【００５４】
ペン属性の変更がペンの色の変更を伴うものである場合には（ステップＳ７；ＹＥＳ）、ＣＰＵ２１は、分割記録モードが指定されているか否かを判断する（ステップＳ８）。ＣＰＵ２１は、分割記録モードが指定されているか否かに応じて、分割記録モードと、一括記録モードと、を切り替える。分割記録モード又は一括記録モードの指定は、予め定められていてもよいし、入力部２３からの指示に応じて、撮影画像に対する付加情報の書き込みの途中で変更可能としてもよい。
【００５５】
分割記録モードは、ペンの色（公開先）を変更して複数の対象に対してコメントや指示を入力する場合に、公開先毎に、追記内容のみを一時保存する動作を繰り返すモードである。すなわち、分割記録モードでは、ＣＰＵ２１は、ペンの色を変更する度に、一旦撮影画像上の追記内容の表示を非表示とし、現在指定されているペンの色に対応するレイヤーのみを撮影画像に重ねて表示部２４に表示させる。撮影画像のサイズによっては書き込み領域が制限されるため、複数の対象に対して付加情報を次々と書き込んでいくと、見づらくなることもある。そこで、分割記録モードを使用して、レイヤーを切り替える度に追記内容を一時保存することにより、領域の制限にとらわれず追記内容を登録することができる。
一方、一括記録モードは、同一の撮影画像に対して付加情報を書き込む際に、撮影画像上に全ての付加情報が表示されたままの状態とするモードである。すなわち、一括記録モードでは、ＣＰＵ２１は、現在指定されているペンの色に対応するレイヤー、及び、同一の撮影画像に対してこれまでに指定されたペンの色に対応するレイヤーを撮影画像に重ねて表示部２４に表示させる。
【００５６】
分割記録モードが指定されている場合には（ステップＳ８；ＹＥＳ）、ＣＰＵ２１は、追記内容を記録したレイヤーをＲＡＭ２２に一時保存し（ステップＳ９）、追記内容を表示部２４の画面からクリアする（ステップＳ１０）。すなわち、図７に示す画像表示領域
３０は、撮影画像のみが表示された状態に戻る。そして、ステップＳ４に戻り、ＣＰＵ２１は、入力された付加情報を、変更されたペンの色に対応するレイヤーに記録していく。
【００５７】
ステップＳ８において、分割記録モードが指定されていない場合（ステップＳ８；ＮＯ）、すなわち、一括記録モードが指定されている場合には、ＣＰＵ２１は、これまでの追記内容が表示された状態に、さらに付加情報を重ねて表示していく。そして、ステップＳ４に戻り、ＣＰＵ２１は、入力された付加情報を、変更されたペンの色に対応するレイヤーに記録していく。
【００５８】
ステップＳ７において、ペン属性の変更がペンの色の変更を伴うものでない場合には（ステップＳ７；ＮＯ）、ステップＳ４に戻り、ＣＰＵ２１は、入力された付加情報を、引き続き同じ色に対応するレイヤーに記録していく。
【００５９】
ステップＳ６において、ペン属性が変更されない場合には（ステップＳ６；ＮＯ）、ＣＰＵ２１は、付加情報の入力（追記）を終了するか否かを判断する（ステップＳ１１）。例えば、ＣＰＵ２１は、入力部２３から追記を終了する旨の指示が入力されたか否かを判断する。付加情報の入力を終了しない場合には（ステップＳ１１；ＮＯ）、ステップＳ４に戻り、処理が繰り返される。
【００６０】
ステップＳ１１において、付加情報の入力を終了する場合には（ステップＳ１１；ＹＥＳ）、ＣＰＵ２１は、撮影画像と、ペンの色（分類区分）毎に生成された各レイヤーと、を対応付けてＲＡＭ２２に保存する（ステップＳ１２）。
次に、ＣＰＵ２１は、撮影画像と各レイヤーとを対応付けて、通信部２５を介して、指定したフォルダにアップロードすべく画像管理装置１０に送信する（ステップＳ１３）。
以上で、付加情報記録処理が終了する。
【００６１】
画像管理装置１０において、ＣＰＵ１１は、端末装置２０から受信した撮影画像と、複数のレイヤーと、を対応付けて、画像記憶装置１７の指定フォルダに格納する。
【００６２】
図８に、分割記録モードが指定されている場合に図７の画像表示領域３０に表示される画像の例を示す。画像３１Ａは、撮影画像のみが表示されている状態である。画像３１Ｂは、撮影画像に対し、「大工担当」に対するコメント５１及び「大工担当」に対する指示５２が追記されたものである。コメント５１は、線幅「１ｐｔ」の「赤色」の線で描画され、指示５２は、線幅「２ｐｔ」の「赤色」の線で描画される。画像３１Ｂが表示されている状態で、ペンの色が変更されると、再度画像３１Ａのように、撮影画像のみが表示されている状態に戻る。画像３１Ｃは、その後、撮影画像に対し、「現場監督」に対する指示５３が追記されたものである。指示５３は、線幅「２ｐｔ」の「水色」の線で描画される。
【００６３】
図９に、一括記録モードが指定されている場合に図７の画像表示領域３０に表示される画像の例を示す。画像３２Ａは、撮影画像のみが表示されている状態である。画像３２Ｂは、撮影画像に対し、「大工担当」に対するコメント６１及び「大工担当」に対する指示６２が追記されたものである。一括記録モードでは、ペンの色が変更されても、画像３２Ａの状態に戻ることはない。画像３２Ｃは、画像３２Ｂの状態に加え、さらに、撮影画像に対し、「現場監督」に対する指示６３が追記されたものである。
【００６４】
図１０は、画像管理装置１０において実行される画像公開処理を示すフローチャートである。この処理は、端末装置２０からの要求に応じて撮影画像を端末装置２０に提供する処理であって、ＣＰＵ１１と記憶部１６に記憶されている画像公開処理プログラムＰ１との協働によるソフトウェア処理によって実現される。
【００６５】
まず、ＣＰＵ１１は、ログインユーザの認証を行う（ステップＳ２１）。
具体的には、端末装置２０において、ユーザの入力部２３からの操作により、ユーザＩＤ及びパスワードが入力されると、入力されたデータが通信部２５を介して、画像管理装置１０に送信される。
画像管理装置１０において、ＣＰＵ１１は、記憶部１６に記憶されているユーザテーブルＴ１を参照し、端末装置２０から送信された入力データと一致するユーザＩＤ及びパスワードの組み合わせがあるか否かを判断する。ユーザテーブルＴ１に入力データと一致するデータがある場合には、画像表示システム１００の利用者として画像管理装置１０に対するアクセスが許可される。
【００６６】
次に、ＣＰＵ１１は、ログインユーザに対するアクセス権限決定処理を行う（ステップＳ２２）。ここで、図１１を参照して、アクセス権限決定処理について説明する。
【００６７】
ＣＰＵ１１は、記憶部１６に記憶されているユーザテーブルＴ１を参照して、ログインユーザ（ユーザＩＤに対応するユーザ）に対応する社内外情報を取得し、社内外情報に基づいて、ログインユーザが社内の者であるか否かを判断する（ステップＳ４１）。
【００６８】
ログインユーザが社内の者である場合には（ステップＳ４１；ＹＥＳ）、ＣＰＵ１１は、記憶部１６に記憶されている現職情報テーブルＴ２から、ログインユーザの現在の担当業務を取得する（ステップＳ４２）。
【００６９】
次に、ＣＰＵ１１は、記憶部１６に記憶されている経歴情報テーブルＴ３から、ログインユーザの過去の担当業務を取得する（ステップＳ４３）。ここで、過去の担当業務のうち、経験年数が予め定められた年数以上（例えば、３年以上等）の担当業務のみを取得することとしてもよい。
【００７０】
次に、ＣＰＵ１１は、記憶部１６に記憶されている前職情報テーブルＴ４から、ログインユーザの入社前の業務歴を取得する（ステップＳ４４）。ここで、入社前の業務歴のうち、経験年数が予め定められた年数以上（例えば、３年以上等）の業務のみを取得することとしてもよい。
【００７１】
次に、ＣＰＵ１１は、記憶部１６に記憶されている資格情報テーブルＴ５から、ログインユーザの担当可能業務（資格）を取得する（ステップＳ４５）。
【００７２】
ステップＳ４１において、ログインユーザが社内の者でない場合（ステップＳ４１；ＮＯ）、すなわち、社外の者である場合には、ＣＰＵ１１は、記憶部１６に記憶されているユーザテーブルＴ１を参照して、ログインユーザに対応する社外区分情報を取得し、社外区分情報に基づいて、ログインユーザが委託先の者であるか否かを判断する（ステップＳ４６）。
【００７３】
ログインユーザが委託先の者である場合には（ステップＳ４６；ＹＥＳ）、ＣＰＵ１１は、記憶部１６に記憶されている委託先情報テーブルＴ６から、ログインユーザの現在の委託業務を取得する（ステップＳ４７）。
【００７４】
ステップＳ４６において、ログインユーザが委託先の者でない場合には（ステップＳ４６；ＮＯ）、ＣＰＵ１１は、ログインユーザが施主であると判断する。
【００７５】
ステップ４５の後、ステップ４７の後、ステップＳ４６において、ログインユーザが施主である場合には（ステップＳ４６；ＮＯ）、ＣＰＵ１１は、取得した業務経験から一又
は複数のアクセス権限を決定する（ステップＳ４８）。
【００７６】
例えば、ＣＰＵ１１は、現職情報テーブルＴ２、経歴情報テーブルＴ３、前職情報テーブルＴ４又は委託先情報テーブルＴ６から「大工工事」という業務を取得した場合には、アクセス権限を「大工担当」に決定する。また、ＣＰＵ１１は、現職情報テーブルＴ２、経歴情報テーブルＴ３、前職情報テーブルＴ４又は委託先情報テーブルＴ６から取得したユーザの業務が、アクセス権限として設定されている業務に含まれる場合（すなわち、より細分化された業務である場合）にも、当該アクセス権限を付与する。
また、ＣＰＵ１１は、資格情報テーブルＴ５から「建築士」という資格を取得した場合には、アクセス権限を「建築士」に決定する。なお、アクセス権限（公開先）として、資格自体が定められていることとしてもよいし、各資格と予め対応付けられている業務に関するアクセス権限を求めることとしてもよい。
また、ＣＰＵ１１は、ユーザテーブルＴ１から社外区分情報として「施主であることを示す情報」を取得した場合には、アクセス権限を「施主」に決定する。
【００７７】
ステップＳ４８の後、図１０に戻り、ＣＰＵ１１は、端末装置２０から撮影画像の指定を受け付ける（ステップＳ２３）。具体的には、端末装置２０において、ユーザが入力部２３からの操作によって、表示部２４に表示するための撮影画像を指定すると、通信部２５を介して、指定された撮影画像を示す情報が画像管理装置１０に送信される。画像管理装置１０において、ＣＰＵ１１は、指定された撮影画像を画像記憶装置１７から読み出し、ＲＡＭ１２に格納する。
【００７８】
次に、ＣＰＵ１１は、記憶部１６に記憶されているレイヤー権限対応テーブルＴ７を参照して、ステップＳ４８において決定されたアクセス権限に対応するレイヤーを特定する（ステップＳ２４）。ステップＳ４８において決定されたアクセス権限が複数ある場合には、複数のアクセス権限のそれぞれに対応する複数のレイヤーを特定する。
【００７９】
次に、ＣＰＵ１１は、ステップＳ２３において指定された撮影画像に対応付けられているレイヤーのうち、特定されたレイヤーを画像記憶装置１７から読み出す（ステップＳ２５）。ＣＰＵ１１は、読み出されたレイヤーをＲＡＭ１２に格納する。
【００８０】
ここで、ＣＰＵ１１は、一括表示モードが指定されているか否かを判断する（ステップＳ２６）。ＣＰＵ１１は、一括表示モードが指定されているか否かに応じて、一括表示モードと、分割表示モードと、を切り替える。一括表示モード又は分割表示モードの指定は、予め定められていてもよいし、撮影画像の表示の途中で端末装置２０からの指示により変更可能としてもよい。
【００８１】
一括表示モードは、アクセス権限に対応する全てのレイヤーを撮影画像に重ねて表示用画像を生成するモードである。
一方、分割表示モードは、アクセス権限に対応するレイヤーのうち、指定されたレイヤーのみを撮影画像に重ねて表示用画像を生成するモードである。
【００８２】
一括表示モードが指定されている場合には（ステップＳ２６；ＹＥＳ）、ＣＰＵ１１は、ステップＳ２３において指定された撮影画像に、ステップＳ２４において特定された全てのレイヤーを重ねて表示用画像を生成する（ステップＳ２７）。
【００８３】
ステップＳ２６において、一括表示モードが指定されていない場合（ステップＳ２６；ＮＯ）、すなわち、分割表示モードが指定されている場合には、ＣＰＵ１１は、端末装置２０から表示すべきレイヤーの指定を受け付ける（ステップＳ２８）。具体的には、端末装置２０において、ユーザが入力部２３からの操作によって、表示すべきレイヤーを指定
すると、通信部２５を介して、指定されたレイヤーを示す情報が画像管理装置１０に送信される。
ＣＰＵ１１は、ステップＳ２３において指定された撮影画像に、ステップＳ２８において指定されたレイヤーのみを重ねて表示用画像を生成する（ステップＳ２９）。
【００８４】
ステップＳ２７又はステップＳ２９の後、ＣＰＵ１１は、通信部１５を介して、生成された表示用画像を端末装置２０に出力する（ステップＳ３０）。
端末装置２０では、画像管理装置１０から出力された表示用画像が表示部２４に表示される。
【００８５】
次に、画像管理装置１０において、ＣＰＵ１１は、端末装置２０から撮影画像の表示を終了する旨の指示を受信したか否かを判断する（ステップＳ３１）。
ステップＳ３１において、端末装置２０から撮影画像の表示を終了する旨の指示を受信しない場合には（ステップＳ３１；ＮＯ）、ステップＳ２６に戻り、処理が繰り返される。
ステップＳ３１において、端末装置２０から撮影画像の表示を終了する旨の指示を受信した場合には（ステップＳ３１；ＹＥＳ）、画像公開処理が終了する。
【００８６】
図１２は、撮影画像７１Ａに第２レイヤー７１Ｂ及び第５レイヤー７１Ｃを重ね合わせて表示用画像７１Ｄを生成した場合の例である。端末装置２０において、大工担当と現場監督の両方のアクセス権限を有する者（例えば、現在、現場監督だが、大工担当の経験がある場合等）が撮影画像を閲覧する場合には、表示用画像７１Ｄが表示される。表示用画像７１Ｄには、大工担当に対するコメント及び指示（赤色で表示）、現場監督に対する指示（水色で表示）が含まれている。
【００８７】
同様に、端末装置２０において、大工担当が撮影画像を閲覧する場合には、撮影画像に対して第２レイヤーを重ね合わせた表示用画像が表示される。
また、端末装置２０において、現場監督が撮影画像を閲覧する場合には、撮影画像に対して第５レイヤーを重ね合わせた表示用画像が表示される。
また、表示対象の撮影画像に、施主に対するコメントや指示が記録された第１レイヤーが対応付けられていない場合に、端末装置２０において、施主が撮影画像を閲覧するときには、表示用画像として撮影画像そのものが表示される。
【００８８】
以上説明したように、本実施の形態によれば、撮影画像に対する付加情報がアクセス権限に対応する複数のレイヤーに分類されているので、撮影画像に重ねるレイヤーを変更することで、簡単に、撮影画像を公開する相手に応じて、撮影画像に対する付加情報の公開内容を変更することができる。
また、ユーザに対応するユーザ情報からアクセス権限を決定するので、ユーザ情報が変更された場合にも、フレキシブルに対応することができる。
【００８９】
例えば、工事会社の社員と委託業者に対する指示を撮影画像上に追記する場合に、施工指示と、施工後の確認を行う旨の指示と、を異なるレイヤーに記録することで、委託業者に対しては、施工指示のみを表示し、社員に対しては、施工指示と施工後の確認の指示の両方を表示するというように、社内・社外の者に対する公開範囲を変更することができる。
【００９０】
また、現在の業務、過去の業務、資格等に基づいて、アクセス権限を決定するので、ユーザの業務内容に適したレイヤーを用いて表示用画像を生成することができる。例えば、現在の業務内容だけでなく、過去の経験や資格（担当可能業務）を考慮することにより、公開内容の幅を広げることができる。
【００９１】
また、画像管理装置１０において、表示用画像を生成する際に、特定された全てのレイヤーを撮影画像に重ねて表示用画像を生成する一括表示モードと、特定されたレイヤーのうち指定されたレイヤーのみを撮影画像に重ねて表示用画像を生成する分割表示モードと、を切り替えることで、ユーザの好みに適した表示方法を提供することができる。一括表示モードが指定された場合には、撮影画像に重ねてユーザのアクセス権限に対応する全てのレイヤーを一度に表示させることができる。一方、分割表示モードが指定された場合には、ユーザのアクセス権限に対応するレイヤーのうち指定されたレイヤーのみを撮影画像に重ねて表示させるので、表示領域に制限があっても視認性を向上させることができる。
【００９２】
また、端末装置２０において、付加情報を入力する際に、付加情報の分類区分（ペンの色）を指定することで、一つの撮影画像に対して、簡単に公開先が異なる付加情報を保存することができる。
【００９３】
また、端末装置２０において、付加情報を入力する際に、現在指定されている分類区分に対応するレイヤーのみを撮影画像に重ねて表示させる分割記録モードと、現在指定されている分類区分に対応するレイヤー、及び、同一の撮影画像に対してこれまでに指定された分類区分に対応するレイヤーを撮影画像に重ねて表示させる一括記録モードと、を切り替えることで、ユーザの好みに適した入力方法を提供することができる。分割記録モードが指定された場合には、付加情報を入力中のレイヤー以外のレイヤーについては表示されないので、入力された付加情報が見易くなる。一方、一括記録モードが指定された場合には、撮影画像上での付加情報の配置のバランスを把握することができ、撮影画像の閲覧において複数のレイヤーを重ねて表示したときと同様の表示結果を確認することができる。
【００９４】
なお、上記実施の形態における記述は、本発明に係る画像管理装置及び画像表示システムの例であり、これに限定されるものではない。画像管理装置及び画像表示システムを構成する各部の細部構成及び細部動作に関しても本発明の趣旨を逸脱することのない範囲で適宜変更可能である。
【００９５】
例えば、ユーザ情報に、ユーザの現在の業務を示す情報、過去の業務を示す情報、資格を示す情報の全てが含まれる必要はなく、少なくとも一つが含まれていることが望ましい。
【００９６】
また、上記実施の形態では、付加情報を入力又は表示する際に、レイヤー（公開先、アクセス権限）毎に、異なる描画線の色を用いることとしたが、必ずしも色を変える必要はない。ただし、レイヤー毎に描画線の色を変えることで、複数のレイヤーを重ねて表示した場合であっても、表示内容の公開先を把握することが容易になる。
【００９７】
また、上記実施の形態では、端末装置２０において、付加情報を入力する際に、タッチパネル上のペンの操作によって手書きで入力する場合を例にして説明したが、マウス等のポインティングデバイスによって入力領域を指定し、付加情報をキーボードから入力することとしてもよい。
【００９８】
また、端末装置２０がＧＰＳ（Global Positioning System）受信機を備え、画像管理装置１０が端末装置２０からユーザの現在位置を取得することによって、ユーザの現在位置に応じて付加情報の公開範囲を変えてもよい。例えば、他人に見られるおそれがある場所では、個人情報、社外秘情報等を表示させない等の利用法がある。
【００９９】
また、本発明は、工事業に限らず、教育分野に適用することも可能である。例えば、教科書等の資料を表示させながら、問題に対して解答を導くためのポイントや解答を追記す
る際に、表示画面上で追記した内容を、複数のレイヤーに分類して記録していく。ポイントについては生徒全員を対象としたレイヤーに記録し、解答は公開しないレイヤーに記録することで、後日資料の電子データにアクセスした際に、ポイントのみを参照することができる。
さらに、生徒の学習レベルに応じて、公開内容を変更してもよい。過去の履歴情報から理解度の低い生徒には、先生が授業で使用した解答例を公開し、理解度の高い生徒には、ポイントのみ、又は、別の観点による解答例等を公開するといった利用ができる。
【０１００】
以上の説明では、各処理を実行するためのプログラムを格納したコンピュータ読み取り可能な媒体としてＨＤＤや不揮発性メモリを使用した例を開示したが、この例に限定されない。その他のコンピュータ読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【０１０１】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
画像と、当該画像に対する付加情報を含む複数のレイヤーと、を対応付けて記憶する第１記憶手段と、
前記複数のレイヤーのそれぞれに対してアクセス権限を対応付けて記憶する第２記憶手段と、
ユーザに対応するユーザ情報を取得する取得手段と、
当該取得されたユーザ情報からアクセス権限を決定する決定手段と、
前記第２記憶手段を参照して、前記決定手段により決定されたアクセス権限に対応するレイヤーを特定する特定手段と、
当該特定されたレイヤーを前記第１記憶手段から読み出す読み出し手段と、
当該読み出されたレイヤーを前記画像に重ねて表示用画像を生成する生成手段と、
当該生成された表示用画像を出力する出力手段と、
を備える画像管理装置。
＜請求項２＞
前記ユーザ情報には、ユーザの現在の業務を示す情報、過去の業務を示す情報、資格を示す情報のうち、少なくとも一つが含まれる請求項１に記載の画像管理装置。
＜請求項３＞
前記生成手段が前記特定手段により特定された全てのレイヤーを前記画像に重ねて表示用画像を生成する第１モードと、前記生成手段が前記特定手段により特定されたレイヤーのうち指定されたレイヤーのみを前記画像に重ねて表示用画像を生成する第２モードと、を切り替える切り替え手段を備える請求項１又は２に記載の画像管理装置。
＜請求項４＞
画像管理装置と、端末装置と、がデータ通信可能に接続された画像表示システムであって、
前記端末装置は、
表示手段に表示された画像に対する付加情報を入力するための入力手段と、
前記付加情報の分類区分を指定するための指定手段と、
前記指定手段により指定された分類区分毎に、前記入力手段から入力された付加情報を含むレイヤーを生成する第１生成手段と、
前記画像と、前記第１生成手段により分類区分毎に生成された複数のレイヤーと、を対
応付けて前記画像管理装置に送信する送信手段と、
を備え、
前記画像管理装置は、
前記画像と、前記複数のレイヤーと、を対応付けて記憶する第１記憶手段と、
前記複数のレイヤーのそれぞれに対してアクセス権限を対応付けて記憶する第２記憶手段と、
ユーザに対応するユーザ情報を取得する取得手段と、
当該取得されたユーザ情報からアクセス権限を決定する決定手段と、
前記第２記憶手段を参照して、前記決定手段により決定されたアクセス権限に対応するレイヤーを特定する特定手段と、
当該特定されたレイヤーを前記第１記憶手段から読み出す読み出し手段と、
当該読み出されたレイヤーを前記画像に重ねて表示用画像を生成する第２生成手段と、
当該生成された表示用画像を前記端末装置に出力する出力手段と、
を備える画像表示システム。
＜請求項５＞
前記端末装置は、
前記指定手段により指定されている分類区分に対応するレイヤーのみを前記画像に重ねて前記表示手段に表示させる第１モードと、前記指定手段により指定されている分類区分に対応するレイヤー及び前記指定手段により指定された分類区分に対応するレイヤーを前記画像に重ねて前記表示手段に表示させる第２モードと、を切り替える切り替え手段を備える請求項４に記載の画像表示システム。
＜請求項６＞
画像と、当該画像に対する付加情報を含む複数のレイヤーと、を対応付けて記憶する第１記憶手段と、前記複数のレイヤーのそれぞれに対してアクセス権限を対応付けて記憶する第２記憶手段と、を備える画像管理装置のコンピュータを、
ユーザに対応するユーザ情報を取得する取得手段、
当該取得されたユーザ情報からアクセス権限を決定する決定手段、
前記第２記憶手段を参照して、前記決定手段により決定されたアクセス権限に対応するレイヤーを特定する特定手段、
当該特定されたレイヤーを前記第１記憶手段から読み出す読み出し手段、
当該読み出されたレイヤーを前記画像に重ねて表示用画像を生成する生成手段、
当該生成された表示用画像を出力する出力手段、
として機能させるためのプログラム。
【符号の説明】
【０１０２】
１０  画像管理装置
１１  ＣＰＵ
１５  通信部
１６  記憶部
１７  画像記憶装置
２０  端末装置
２１  ＣＰＵ
２３  入力部
２４  表示部
２５  通信部
２６  撮像部
２７  記憶部
１００  画像表示システム
２４１  付加情報記録画面
Ｎ  通信ネットワーク
Ｐ１  画像公開処理プログラム
Ｐ２  付加情報記録処理プログラム
Ｔ１  ユーザテーブル
Ｔ２  現職情報テーブル
Ｔ３  経歴情報テーブル
Ｔ４  前職情報テーブル
Ｔ５  資格情報テーブル
Ｔ６  委託先情報テーブル
Ｔ７  レイヤー権限対応テーブル
Ｔ８  レイヤー属性対応テーブル
【図１】
2016012212.tif 000003
【図２】
2016012212.tif 000004
【図３】
2016012212.tif 000005
【図４】
2016012212.tif 000006
【図５】
2016012212.tif 000007
【図６】
2016012212.tif 000008
【図１０】
2016012212.tif 000009
【図１１】
2016012212.tif 000010
【図７】
2016012212.tif 000011
【図８】
2016012212.tif 000012
【図９】
2016012212.tif 000013
【図１２】
2016012212.tif 000014